(57)【要約】【課題】撮像装置内で印刷された用紙の排出を安定して行うことを可能とした撮像装置、撮像装置の制御方法、プログラム、及び記憶媒体を提供する。【解決手段】プリンタ付カメラは、被写体の光学像を光電変換し撮影画像を得ると共に撮影画像をメモリに蓄積するデジタルカメラ部、及び撮影画像をプリント用紙１１に印刷するプリンタ部を有するカメラ本体１と、カメラ本体１の外側部分に装着され、ホルダ収納位置とプリント用紙受け位置との間で移動可能に構成されたホルダ１３とを備える。カメラ本体１のプリンタ部によりプリント用紙１１に画像を印刷し排出する場合には、ホルダ１３をホルダ収納位置からプリント用紙受け位置まで移動させ、カメラ本体１の排出口１２から排出されてくるプリント用紙１１をホルダ１３のガイド部１３ａによりガイドする。【選択図】      図１
2004312464.tif 000002
【特許請求の範囲】
【請求項１】
被写体の光学像を光電変換し撮影画像を得る撮像手段と、前記撮影画像を用紙に印刷する印刷手段とを備えた撮像装置において、
撮像装置本体に設けられ、前記印刷手段による印刷に伴い排出される用紙の排出方向に変位することで前記用紙をガイドするガイド部材を備えることを特徴とする撮像装置。
【請求項２】
前記ガイド部材は、前記撮像装置本体に対し一体的に収納される収納位置と、前記撮像装置本体の用紙排出口の下流側に設定される用紙受け位置との間をスライド可能に構成されていることを特徴とする請求項１記載の撮像装置。
【請求項３】
前記ガイド部材は、前記撮像装置本体に対し一体的に収納される収納位置と、前記撮像装置本体の用紙排出口の下流側に設定される用紙受け位置との間を回動可能に構成されていることを特徴とする請求項１記載の撮像装置。
【請求項４】
前記ガイド部材は、前記撮像装置本体に対し一体的に収納される収納位置と、前記撮像装置本体の用紙排出口の下流側に設定される用紙受け位置との間を曲げ延ばし可能に構成されていることを特徴とする請求項１記載の撮像装置。
【請求項５】
前記ガイド部材の変位に連動して前記印刷手段に供給する電源のオフ状態とオン状態を切換える電源制御手段を備えることを特徴とする請求項１記載の撮像装置。
【請求項６】
前記電源制御手段は、前記ガイド部材が前記収納位置にある場合は、前記印刷手段に供給する電源をオフ状態とし、前記ガイド部材が前記用紙受け位置にある場合は、前記印刷手段に供給する電源をオン状態とすることを特徴とする請求項２乃至５の何れかに記載の撮像装置。
【請求項７】
前記ガイド部材が前記用紙受け位置にない場合は、前記印刷手段の動作を禁止する印刷制御手段を備えることを特徴とする請求項２乃至４の何れかに記載の撮像装置。
【請求項８】
前記ガイド部材は、撮影レンズ保護部材を兼用することを特徴とする請求項１記載の撮像装置。
【請求項９】
被写体の光学像を光電変換し撮影画像を得る撮像手段と、前記撮影画像を用紙に印刷する印刷手段とを備えた撮像装置において、
撮像装置本体に設けられ、複数の位置に移動可能で前記印刷手段による印刷に伴い排出される用紙をガイドするガイド部材と、前記撮像装置本体に設けられ、複数の位置に移動可能な撮影レンズ保護部材とを備え、前記ガイド部材と前記撮影レンズ保護部材の移動位置に応じて、前記撮像手段に供給する電源及び前記印刷手段に供給する電源のオフ状態とオン状態を切換えることを特徴とする撮像装置。
【請求項１０】
前記ガイド部材の前記複数の位置とは、前記撮像装置本体に対し一体的に収納される収納位置と、前記撮像装置本体の用紙排出口の下流側に設定される用紙受け位置を含むことを特徴とする請求項９記載の撮像装置。
【請求項１１】
前記撮影レンズ保護部材の前記複数の位置とは、撮影レンズ前面を覆う閉位置、前記撮影レンズ前面から退避した開位置、前記撮像装置本体の用紙排出口の下流側に設定される用紙受け位置を含むことを特徴とする請求項９記載の撮像装置。
【請求項１２】
前記ガイド部材が前記収納位置にあり前記撮影レンズ保護部材が前記開位置にある場合は、前記撮像手段に供給する電源をオン状態とし、前記ガイド部材及び前記撮影レンズ保護部材が共に前記用紙受け位置にある場合は、前記撮像手段に供給する電源及び前記印刷手段に供給する電源をオン状態とする電源制御手段を備えることを特徴とする請求項１０又は１１記載の撮像装置。
【請求項１３】
前記ガイド部材が前記用紙受け位置にない場合は、前記印刷手段の動作を禁止する印刷制御手段を備えることを特徴とする請求項１０記載の撮像装置。
【請求項１４】
前記ガイド部材は、前記撮影レンズ保護部材の移動を規制する係止部を備えることを特徴とする請求項９記載の撮像装置。
【請求項１５】
被写体の光学像を光電変換し撮影画像を得る撮像手段と、前記撮影画像を用紙に印刷する印刷手段とを備えた撮像装置の制御方法において、
撮像装置本体に設けられ、前記印刷手段による印刷に伴い排出される用紙の排出方向に変位することで前記用紙をガイドするガイド部材の変位に連動して、前記印刷手段に供給する電源のオフ状態とオン状態を切換える電源制御ステップと、前記ガイド部材が前記撮像装置本体の用紙排出口の下流側に設定される用紙受け位置にない場合は、前記印刷手段の動作を禁止する印刷制御ステップとを備えることを特徴とする制御方法。
【請求項１６】
被写体の光学像を光電変換し撮影画像を得る撮像手段と、前記撮影画像を用紙に印刷する印刷手段とを備えた撮像装置の制御方法において、
撮像装置本体に設けられ、複数の位置に移動可能で前記印刷手段による印刷に伴い排出される用紙をガイドするガイド部材の移動位置と、前記撮像装置本体に設けられ、複数の位置に移動可能な撮影レンズ保護部材の移動位置とに応じて、前記撮像手段に供給する電源及び前記印刷手段に供給する電源のオフ状態とオン状態を切換える電源制御ステップと、前記ガイド部材が前記撮像装置本体の用紙排出口の下流側に設定される用紙受け位置にない場合は、前記印刷手段の動作を禁止する印刷制御ステップとを備えることを特徴とする制御方法。
【請求項１７】
被写体の光学像を光電変換し撮影画像を得る撮像手段と、前記撮影画像を用紙に印刷する印刷手段とを備えた撮像装置の制御方法をコンピュータに実行させるプログラムにおいて、
撮像装置本体に設けられ、前記印刷手段による印刷に伴い排出される用紙の排出方向に変位することで前記用紙をガイドするガイド部材の変位に連動して、前記印刷手段に供給する電源のオフ状態とオン状態を切換える電源制御モジュールと、前記ガイド部材が前記撮像装置本体の用紙排出口の下流側に設定される用紙受け位置にない場合は、前記印刷手段の動作を禁止する印刷制御モジュールとを備えることを特徴とするプログラム。
【請求項１８】
被写体の光学像を光電変換し撮影画像を得る撮像手段と、前記撮影画像を用紙に印刷する印刷手段とを備えた撮像装置の制御方法をコンピュータに実行させるプログラムにおいて、
撮像装置本体に設けられ、複数の位置に移動可能で前記印刷手段による印刷に伴い排出される用紙をガイドするガイド部材の移動位置と、前記撮像装置本体に設けられ、複数の位置に移動可能な撮影レンズ保護部材の移動位置とに応じて、前記撮像手段に供給する電源及び前記印刷手段に供給する電源のオフ状態とオン状態を切換える電源制御モジュールと、前記ガイド部材が前記撮像装置本体の用紙排出口の下流側に設定される用紙受け位置にない場合は、前記印刷手段の動作を禁止する印刷制御モジュールとを備えることを特徴とするプログラム。
【請求項１９】
前記請求項１７又は１８記載のプログラムを格納することを特徴とするコンピュータ読み取り可能な記憶媒体。
【発明の詳細な説明】
【０００１】
【発明の属する技術分野】
本発明は、撮影した画像情報を印刷するプリンタを備えた撮像装置に関し、特にプリント用紙のガイド機構に特徴を有する撮像装置、撮像装置の制御方法、プログラム、及び記憶媒体に関する。
【０００２】
【従来の技術】
従来、ＣＣＤ（Ｃｈａｒｇｅ  Ｃｏｕｐｌｅｄ  Ｄｅｖｉｃｅ）などの固体撮像素子を用いた電子的な撮像手段によって撮影した画像情報をメモリに記憶すると共に、メモリに記憶された画像情報を任意に選択して印刷することが可能なように構成されたプリンタ付カメラが開発され実用化されている（例えば、特許文献１、特許文献２参照）。このプリンタ付カメラは、カメラ本体内部で画像情報が印刷されたプリント用紙をカメラ本体外部に排出するように構成されている。
【０００３】
また、撮影したフィルム（写真）をカメラ本体外部に排出することが可能なカメラとしては、インスタントカメラが知られている。このインスタントカメラは、撮影の後に連続して、撮影済みのインスタントフィルムをカメラ本体外部に排出することができるように構成されている。
【０００４】
更に、インスタントカメラにおけるフィルムの供給及び格納構造に関しては、インスタントフィルムの供給室と露光済みフィルムの蓄積室とを撮影光軸を挟んで配置した構造のインスタントカメラが提案されている（例えば、特許文献３、特許文献４参照）。この構造により、露光済みフィルムをカメラ内に格納することができる。
【０００５】
また、インスタントカメラの構造に関しては、撮影時にカメラ本体を露光済みフィルムの蓄積室の底部を構成する底部材から略直角に起こした状態で撮影を行うように構成され、カメラ本体の背面側に配置されている未露光状態のフィルムが、撮影レンズ及びシャッタを通して露光されると、カメラ本体の下側方向に移動し、更に撮影光軸に対して略平行にカメラ本体の後方に送り出され、露光済みフィルムの蓄積室に格納される構造のインスタントカメラが提案されている（例えば、特許文献５参照）。
【０００６】
この露光済みフィルムの蓄積室を装備したインスタントカメラの主な目的は、撮影を行うたびにカメラ本体外部にフィルムが排出されると、撮影者は撮影毎にフィルムを手にして適当な場所に保管しなければならないという煩わしさを解消することにある。
【０００７】
これに対し、プリンタを備えたデジタルカメラ（プリンタ付カメラ）においては、撮影したデジタル画像情報をデジタルカメラ本体内のメモリに記憶しておき、デジタル画像情報を写真として出力したいときにのみ、デジタルカメラの使用者が所望のデジタル画像情報を選択することで、プリンタにより印刷することができるという利点がある。即ち、撮影毎に排出されるフィルムを手にして適当な場所に保管しなければならないインスタントカメラ特有の煩わしさは無い。
【０００８】
【特許文献１】
米国特許４０７４３２４号
【特許文献２】
特開昭５４−１３６３２５号公報
【特許文献３】
米国特許４１１４１６６号
【特許文献４】
米国特許４６０７９２７号
【特許文献５】
米国特許Ｄｅｓ．３３５６８１号
【０００９】
【発明が解決しようとする課題】
しかしながら、従来のプリンタ付カメラの場合、カメラ本体内部で画像をプリント用紙に印刷すると共に印刷されたプリント用紙をカメラ本体外部に排出している印刷動作中に、プリント用紙に外部的負荷が加えられると、印刷が正常に行われない恐れがあるという問題があった。
【００１０】
本発明の目的は、撮像装置内で印刷された用紙の排出を安定して行うことを可能とした撮像装置、撮像装置の制御方法、プログラム、及び記憶媒体を提供することにある。
【００１１】
【課題を解決するための手段】
上述の目的を達成するため、本発明の撮像装置は、被写体の光学像を光電変換し撮影画像を得る撮像手段と、前記撮影画像を用紙に印刷する印刷手段とを備えた撮像装置において、撮像装置本体に設けられ、前記印刷手段による印刷に伴い排出される用紙の排出方向に変位することで前記用紙をガイドするガイド部材を備えることを特徴とする。
【００１２】
すなわち、上記撮像装置によれば、ガイド部材が、撮像装置内の印刷手段による印刷に伴い排出される用紙の排出方向に変位することで用紙をガイドするため、用紙ガイド部材としての専用部品の部品点数は少なくて済み、携帯性を損なうことなく小型化を図ることが可能である。
【００１３】
また、本発明の撮像装置は、被写体の光学像を光電変換し撮影画像を得る撮像手段と、前記撮影画像を用紙に印刷する印刷手段とを備えた撮像装置において、撮像装置本体に設けられ、複数の位置に移動可能で前記印刷手段による印刷に伴い排出される用紙をガイドするガイド部材と、前記撮像装置本体に設けられ、複数の位置に移動可能な撮影レンズ保護部材とを備え、前記ガイド部材と前記撮影レンズ保護部材の移動位置に応じて、前記撮像手段に供給する電源及び前記印刷手段に供給する電源のオフ状態とオン状態を切換えることを特徴とする。
【００１４】
すなわち、上記撮像装置によれば、ガイド部材と撮影レンズ保護部材とをそれぞれ独立に設けると共に、それぞれの移動位置に対応して、カメラ部とプリンタ部に供給する電源のオン状態／オフ状態を切換えるように制御し、電源の省電力を円滑且つ容易に実現することができる。
【００１５】
【発明の実施の形態】
以下、本発明の実施の形態を図面を参照しながら説明する。
【００１６】
［第１の実施の形態］
先ず、本発明の第１の実施の形態に係る撮像装置としてのプリンタ付カメラの全体構成について図１乃至図３を参照しながら説明する。
【００１７】
図１は、本実施の形態に係るプリンタ付カメラの正面側の構成を示す斜視図、図２は、プリンタ付カメラの背面側の構成を示す斜視図、図３は、プリンタ付カメラにおけるホルダがホルダ収納位置にある場合の正面側の構成を示す斜視図である。
【００１８】
本実施の形態のプリンタ付カメラは、ＣＣＤなどの固体撮像素子を用いて画像を撮影すると共に撮影した画像情報をメモリに蓄積するデジタルカメラ部（撮像手段）と、メモリに蓄積された画像情報を例えばインクジェット記録方式によりプリント用紙に印刷し出力するプリンタ部（印刷手段）とを備えている。
【００１９】
図１乃至図３において、カメラ本体１の前面には、撮影レンズを備えた撮影レンズユニット（図示略）を装備した鏡筒ユニット２が設けられている。また、カメラ本体１の前面には、被写体を視認するためのファインダ対物窓３、ストロボ撮影時に発光するストロボ４、測距情報を決定するための近赤外光を投光するためのＡＦ投光窓５、測距情報を決定するための近赤外光を受光するためのＡＦ受光窓６、リモコン受光窓７、露出制御値を決定するための光を入力するための測光用ＡＥ窓８が設けられている。尚、図１の状態は、鏡筒ユニット２を駆動し撮影位置に繰り出した状態である。
【００２０】
プリンタ付カメラによる撮影時には、撮影レンズ光軸９の方向に位置する被写体の光学像を鏡筒ユニット２を介して取り込み、被写体の光学像をカメラ本体１に内蔵された固体撮影素子（図示略）に結像し、該固体撮影素子によって光学像を電子像信号に変換する。電子像信号に変換された撮影画像は、カメラ本体１内部の磁気記憶媒体などの記憶媒体に画像情報として記憶される。記憶された画像情報は、撮影者の印刷指示操作に基づきプリンタ部によりプリント用紙１１に対し視認可能に印刷することができる。
【００２１】
カメラ本体１の上面には、レリーズボタン１０が配置されている。また、カメラ本体１の右側面（正面から見た場合）には、カメラ本体１のプリンタ部で印刷されたプリント用紙１１を排出するための排出口１２が設けられている。プリンタ部により画像が印刷されたプリント用紙１１は、印刷の進行に伴い排出口１２から排出されてくる。これにより、プリント用紙１１に対する印刷が全て完了しない状態であっても、プリント用紙１１に印刷された画像の一部を撮影者が見ることができる。
【００２２】
また、カメラ本体１の外側部分には、ホルダ１３（ガイド部材）がカメラ本体１の長手方向に対し移動可能に装着されている。ホルダ１３は、カメラ本体１の排出口１２から排出されてくるプリント用紙１１をガイドするための部材であり、該ホルダ１３の側面がカメラ本体１の排出口１２側の側面に当接したホルダ収納位置（図３参照）と、該ホルダ１３の側面がカメラ本体１の排出口１２側の側面から所定長さ離間したプリント用紙受け位置（図１参照）との間で移動可能となっている。
【００２３】
ホルダ１３は、プリント用紙受け位置まで移動されると（図１参照）、カメラ本体１の排出口１２から排出されたプリント用紙１１を受けることが可能な状態に保持される。尚、ホルダ１３がプリント用紙受け位置にある場合、プリンタ付カメラのデジタルカメラ部及びプリンタ部に電源が自動的に投入されるようになっている。
【００２４】
また、ホルダ１３は、プリンタ付カメラの一部である撮影レンズ前面を覆う全閉位置（図３参照）と、撮影レンズ前面から退避した全開位置（図１参照）との間で移動可能な撮影レンズ保護用の撮影レンズバリア（カメラ本体１の前面側と対向するホルダ１３の前面側部分）（撮影レンズ保護部材）と一体的に形成されている。換言すれば、ホルダ１３に撮影レンズバリアを兼用させた構成となっている。
【００２５】
また、ホルダ１３における、カメラ本体１の排出口１２と対向する側の面には、カメラ本体１の排出口１２から排出されてくるプリント用紙１１をガイドするためのスリット状のガイド部１３ａ（図３参照）が形成されている。これにより、プリント用紙１１の排出を安定した状態で且つ円滑に行うことが可能となっている。
【００２６】
更に、ホルダ１３の下側の面には、形状が異なる例えば２つの凹部（図示略）が形成されている。２つの凹部は、それぞれホルダ収納位置とプリント用紙受け位置とにおいて、ホルダ１３の位置を検出する位置検出センサ（図示略）と対向するように配置されている。
【００２７】
上記位置検出センサにより、ホルダ１３がホルダ収納位置にあると検出された場合には、プリンタ付カメラのプリンタ部に供給する電源をオフ状態とし、ホルダ１３がプリント用紙受け位置にあると検出された場合には、プリンタ部に供給する電源をオン状態とするように構成されている。また、上記位置検出センサにより、ホルダ１３がプリント用紙受け位置に移動されていないと検出された場合には、プリンタ部の動作を禁止するように構成されている。これらの制御はプリンタ付カメラの制御手段２７（図５参照）が行う。
【００２８】
更に、カメラ本体１の背面には、被写体を覗くためのファインダ接眼窓１４、図８に示すような画像情報を表示する画像用液晶表示パネル１５、後述の各種撮影モードのうち所望の撮影モードを選択するためのモード切換えボタン１６、データの印字大きさを設定するためのデータ大きさ設定ボタン１７、データの印字角度を設定するためのデータ角度設定ボタン１８、画像用液晶表示パネル１５上で表示画像を送るための画像送りボタン１９、印刷動作を指示するためのプリントボタン２０、画角を調整するためのズームボタン２１が設けられている。
【００２９】
また、カメラ本体１の左側面（正面から見た場合）には、複数枚のプリント用紙１１が収納されたカートリッジ２２をカメラ本体１に対し着脱可能に挿入するための挿入口２３（図２参照）が設けられている。カードリッジ２２は、挿入動作に伴い挿入口２３を介してカメラ本体１内部のカートリッジ収納位置まで完全に挿入されると、カメラ本体１に対する収納状態となる。
【００３０】
次に、プリンタ付カメラのプリンタ部の構成について図４を参照しながら説明する。
【００３１】
図４はプリンタ付カメラの背蓋を開けた状態におけるカメラ本体内部の概略構造を示す斜視図である。
【００３２】
図４において、カメラ本体１の背面側から背蓋１ａが取り外され、カメラ本体１の内部が示されている。カメラ本体１の内部には、プリント用紙１１の印刷面（カメラ本体１の背面側を向いた面）に対向する位置に設けられた印刷用のプリンタヘッド２６、該プリンタヘッド２６に固定され複数色に各々対応したノズル２４が配設されており、これらプリンタヘッド２６、ノズル２４、及び用紙搬送機構（図示略）等がプリンタ部を構成している。ここで、ノズル２４からのインク２５の射出（吐出）方向は、撮影レンズ光軸９に平行でプリンタ付カメラの撮像面側から被写体側に向かっている。尚、カメラ本体１内部におけるプリンタ部以外の図示は省略する。
【００３３】
プリンタ付カメラにおける印刷時には、一般の撮影者はプリンタ付カメラを構え、そのままプリンタ付カメラを保持した状態で印刷の指示を行う。そして、印刷が終了するまでの経過をその状態で観察している。そのために撮影者は両手でプリンタ付カメラを構えることになるが、プリンタ付カメラの撮影レンズ光軸９の方向は地面方向を向いていることが多い。このように両手でプリンタ付カメラを構えるという姿勢が安定している状態で、ノズル２４からのインク２５の射出量を制御すると、常に綺麗な印刷を早く行うことができるので、インク２５の射出方向を撮影レンズ光軸９の方向の被写体側に揃えている。
【００３４】
また、プリント用紙１１に印刷される画像がカメラ本体１の背面側を向くようにプリンタヘッド２６を配置することで、撮影者は撮影が完了した後、そのままプリンタ付カメラを持ち換えることなく、プリント用紙１１に形成された画像の印刷状態を確認ことができる。これにより、撮影者に対し使い勝手の良いプリンタ付カメラを提供することが可能である。
【００３５】
次に、プリンタ付カメラの機能構成について図５を参照しながら説明する。
【００３６】
図５はプリンタ付カメラの機能構成を示すブロック図である。
【００３７】
図５において、プリンタ付カメラは、制御手段２７、撮像部２８、撮像制御部２９、プリンタエンジン部３０、プリンタ制御部３１、モード設定手段３２、メモリ３３、表示手段３４、カートリッジ検出手段３５、バリア位置検出手段３６、スイッチ３７、スイッチ３８、スイッチ３９を備えている。
【００３８】
制御手段２７（電源制御手段、印刷制御手段）は、プリンタ付カメラ全体の制御を行うものであり、制御プログラムに基づき図６及び図７のフローチャートに示す処理を実行する。撮像部２８は、被写体像を撮影して画像信号として出力するものであり、固体撮像素子（図示略）を備えている。撮像制御部２９は、撮像部２８の撮像動作を制御する。プリンタエンジン部３０は、カートリッジ２２から給紙されたプリント用紙１１に画像を形成する印刷動作を行うものであり、上記のプリンタヘッド２６及びノズル２４を含む印刷機構である。プリンタ制御部３１は、プリンタエンジン部３０の印刷動作を制御する。
【００３９】
モード設定手段３２は、撮影モード、印字大きさモード、印字角度モード、プリント出力モードなどを設定するためのものである。メモリ３３は、撮像部２８により撮影した画像情報を記憶する。表示手段３４は、撮像部２８により撮影した画像情報などを表示するものであり、上記図２に示した画像用液晶表示パネル１５に相当する。カートリッジ検出手段３５は、カメラ本体１に対するカートリッジ２２の装填状態を検出する。バリア位置検出手段３６は、撮影レンズバリアの位置（全閉位置、全開位置）を検出する。複数のスイッチ３７〜３９（ＳＷ１〜ＳＷ３）は、各種設定や各種指示を行うためのものである。
【００４０】
次に、プリンタ付カメラの動作について図６乃至図８を参照しながら説明する。
【００４１】
図６及び図７はプリンタ付カメラの動作手順を示すフローチャートである。本フローチャートに示す処理は制御手段２７が制御プログラムに基づき実行する。
【００４２】
先ず、制御手段２７は、上述した位置検出センサ（図示略）の出力信号に基づいてホルダ１３の位置を検出する（ステップＳ１）。制御手段２７は、ホルダ１３がプリント用紙受け位置にあると判断すると、プリンタ付カメラのデジタルカメラ部及びプリンタ部に電源を投入する。即ち、撮影者が操作を行うことなく、デジタルカメラ部及びプリンタ部に電源が自動的に投入される。次に、制御手段２７は、撮像制御部２９を介して撮像部２８をワイド（ＷＩＤＥ）端へ駆動する（ステップＳ２）。具体的には、鏡筒ユニット２を駆動して撮影位置であるＷＩＤＥ端に繰り出しセットする。これにより、撮影者によるモードの設定などの操作を行うことが可能となる。例えば、モード設定手段３２を介して撮影モードの設定を行う。
【００４３】
本実施の形態では、プリンタ付カメラは、通常の全自動撮影モード、ポートレート撮影モード、連続撮影モードなどの複数種類の撮影モードを有しており、モード切換えボタン１６の操作によって、上記各撮影モードの中から所望の撮影モードを選択することが可能になっている。
【００４４】
撮影者によるモード切換えボタン１６の操作によって所望の撮影モードが選択されると、この選択された撮影モードを示す信号が制御手段２７に入力される。これにより、制御手段２７は、プリンタ付カメラの撮影モードを上記選択された撮影モードに設定する。
【００４５】
撮影者が、プリンタ付カメラによる撮影に際してズームボタン２１により画角を調整した後、レリーズボタン１０を第１ストロークまで押し込むと、制御手段２７にはスイッチ３７からＳＷ１信号が入力される（ステップＳ３）。制御手段２７は、上記ＳＷ１信号の入力に応じて、撮像制御部２９を介して撮像部２８を駆動し、測光ＡＥ窓８を介して入力した光量に応じた露出制御値の決定、ＡＦ投光窓５及びＡＦ受光窓６を介してそれぞれ投光及び受光された近赤外光に基づく測距情報の決定、ストロボ４の発光の有無など、露出動作に必要な種々の撮影条件を決定する（ステップＳ４）。
【００４６】
撮影者が実際にプリンタ付カメラによる撮影を実行するために、更にレリーズボタン１０を第２ストロークまで押し込むと、制御手段２７にはスイッチ３８からＳＷ２信号が入力される（ステップＳ５）。制御手段２７は、上記ＳＷ２信号の入力に応じて、撮像制御部２９を介して撮像部２８を駆動し、焦点合わせのための撮影レンズ駆動、シャッタの速度制御、絞りの開口量制御、また必要であればストロボ４の発光などを行うことにより、一連の撮影動作を行う（ステップＳ６）。制御手段２７は、撮影動作に伴い固体撮像素子（図示略）により光学像から電子像信号に変換された画像情報をメモリ３３に取り込む（ステップＳ７）。また、制御手段２７は、表示手段３４（画像用液晶表示パネル１５）を駆動し、上記画像情報を表示する（ステップＳ８）。
【００４７】
撮影動作は、上述した動作を繰り返すことによって行われ、撮像部２８により撮影された画像情報はメモリ３３に蓄積される。
【００４８】
撮影者が上記画像情報をプリンタ部により印刷するプリント出力を所望した場合、モード設定手段３２からプリント出力モードの設定を入力すると、制御手段２７は、プリンタ付カメラのモードをプリント出力モードに設定する（ステップＳ９）。撮影者がこのプリント出力モードにおいて、プリント出力を所望する画像情報を選択する場合は、メモリ３３に蓄積されている複数の画像情報を、画像送りボタン１９の操作により画像用液晶表示パネル１５上において送りながら表示させ、検索を行うことによって、プリント出力を所望する画像情報を選択する。図８（Ａ）、図８（Ｂ）は表示手段３４に表示された画像情報を示す図である。
【００４９】
撮影者による画像送りボタン１９の操作により画像情報が選択されると、この選択された画像情報を示す信号が制御手段２７に入力される。これにより、制御手段２７は、選択された画像を設定（確定）する。そして、制御手段２７は、被写体位置検出手段（図示略）を介して、上記選択された画像における主被写体（図８（Ａ）の例では雪ダルマ）の位置を検出する（ステップＳ１０）。この場合、日付または撮影データなどの印刷可能範囲は、検出された主被写体位置の検出結果に応じて、図８（Ａ）に示すように自動的に決定し表示することが可能になっている。
【００５０】
次に、制御手段２７は、主被写体位置の占める範囲と主被写体位置の周辺における印刷可能範囲を判定する（ステップＳ１１）。制御手段２７は、被写体位置検出手段（図示略）を介して検出された主被写体位置の占める範囲が大きく、且つ主被写体位置の周辺においても印刷可能範囲が少ないと判断した場合は、日付または撮影データなどの印刷可能範囲の自動設定が困難となるため、表示手段３４に最小限の印刷可能範囲を表示すると共に警告を発する（ステップＳ１２）。他方、制御手段２７は、印刷可能範囲が適正と判断した場合は、ステップＳ１６に移行する。
【００５１】
上記警告に関しては、日付または撮影データの表示を点滅させるか、または、音声発生手段（図示略）から音声を発生することで、撮影者に報知する。図８（Ｂ）に示すように、撮影者は表示手段３４の表示を見ながら、表示された日付または撮影データの印字大きさ、印字角度の調整及び変更を行う。具体的には、撮影者はデータ大きさ設定ボタン１７を用いて日付または撮影データの印字サイズを変更及び設定し（ステップＳ１３）、データ角度設定ボタン１８を用いて日付または撮影データの印字角度を変更及び設定することが可能になっている（ステップＳ１４）。
【００５２】
更に、印刷可能範囲の位置を変更するには、モード切換えボタン１６を押しながらデータ大きさ設定ボタン１７、データ角度設定ボタン１８、画像送りボタン１９、プリントボタン２０のうち何れか１つのボタンを押下すると、印刷可能範囲を上下左右に移動することができ、撮影者自身は最適な印刷可能範囲を設定することが可能になっている（ステップＳ１５）。この後、ステップＳ１６に移行する。
【００５３】
次に、制御手段２７は、撮影者によってプリントボタン２０が押されると（ステップＳ１６）、プリントボタン２０に対応したスイッチ３９からＳＷ３信号が制御手段２７に入力される。これにより、制御手段２７は、プリンタ制御部３１に対しプリンタエンジン部３０においてプリント動作に入る（準備状態とする）ように指示する。次に、制御手段２７は、カートリッジ検出手段３５（カートリッジ装填スイッチ）の出力信号に基づき、カメラ本体１にカートリッジ２２が装填されているか否かを判定し（ステップＳ１７）、カートリッジ２２が装填されていると判断すると、プリンタ制御部３１を介してプリンタエンジン部３０によるプリント動作を実行する（ステップＳ１８）。
【００５４】
このプリント動作において、プリンタ制御部３１は、メモリ３３に蓄積されている画像情報に対しプリント出力用に画像処理（色補正や二値化処理など）を施し、この画像処理後の画像情報をプリンタエンジン部３０に出力する。プリンタエンジン部３０は、カートリッジ２２から給紙されたプリント用紙１１に画像を印刷する。画像が印刷されたプリント用紙１１は、用紙搬送機構（図示略）により搬送され、カメラ本体１の排出口１２から排出された後、更に、プリンタ用紙受け位置まで移動されているホルダ１３のガイド部１３ａによりガイドされ安定した状態で排出されていく（ステップＳ１９）。
【００５５】
以上説明したように、本実施の形態によれば、カメラ本体１のプリンタ部でプリント用紙に画像を印刷し排出する際に、ホルダ１３をホルダ収納位置からプリント用紙受け位置まで移動させ、ホルダ１３のガイド部１３ａによりプリント用紙をガイドしながら排出するため、印刷されたプリント用紙の排出を安定して行うことができる。これにより、従来のように、プリント用紙の排出中に外部的負荷が加えられた場合に印刷が正常に行われない恐れがあるという不具合を解消することができる。
【００５６】
また、ホルダ１３はカメラ本体１の外側部分に付設し且つその長手方向に移動させるだけの簡単な構造であるため、プリント用紙ガイド部材としての専用部品の部品点数は少なくて済み、プリンタ付カメラの携帯性を損なうことなく小型化を図ることが可能となると共に、プリンタ付カメラの使い勝手も良好となる。
【００５７】
また、ホルダ１３の移動方向をプリント用紙の排出方向と同じ方向としているため、カメラ本体１でのプリント用紙の印刷時にはホルダ１３をプリント用紙受け位置まで移動させておくことで、カメラ本体１で印刷され排出されてくるプリント用紙を確実に受けることが可能となる。
【００５８】
また、ホルダ１３の変位（ホルダ収納位置にあるかプリント用紙受け位置にあるか）に連動して、プリンタ付カメラのプリンタ部に供給する電源のオフ状態／オン状態を切換える制御を行うため、例えばカメラ本体１の筐体上にプリンタ部用の電源ボタンなどの専用部品を設ける必要がなく、コスト面から有効である。
【００５９】
また、ホルダ１３がプリント用紙受け位置に移動されていないときには、プリンタ付カメラのプリンタ部の動作を禁止するため、プリント用紙の排出異常の発生を未然に防止することが可能となる。
【００６０】
また、カメラ本体１から排出されるプリント用紙をガイドするホルダ１３と撮影レンズを保護する撮影レンズバリアとを兼用した構成であるため、プリント用紙ガイド用の専用部品と撮影レンズ保護用の専用部品を別々に設ける必要がなく、部品点数を削減できると共に、プリンタ付カメラの操作性の向上も図ることが可能となる。
【００６１】
また、カメラ本体１にホルダ１３を付設するという簡単な構造で、該ホルダ１３の移動位置に応じて複数の機能（プリント用紙をガイドする機能、撮影レンズを保護する機能）を果たすことができるため、コスト面から有効である。
【００６２】
［第２の実施の形態］
次に、本発明の第２の実施の形態に係る撮像装置としてのプリンタ付カメラについて図９乃至図１１を参照しながら説明する。
【００６３】
図９は、プリンタ付カメラにおける撮影レンズバリアが閉位置にある場合の正面側の構成を示す斜視図、図１０は、プリンタ付カメラにおける撮影レンズバリアが開位置にある場合の正面側の構成を示す斜視図、図１１は、プリンタ付カメラにおける撮影レンズバリアがプリント用紙受け位置にある場合の正面側の構成を示す斜視図である。
【００６４】
本実施の形態のプリンタ付カメラの機構の構成は、後述する点以外は第１の実施の形態とほぼ同じであるため、図９乃至図１１において、第１の実施の形態の図１乃至図４で示した構成要素と同じものについては同じ符号を付し、説明を省略または簡略化する。また、本実施の形態のプリンタ付カメラの機能構成も、第１の実施の形態と基本的に同じである（図５参照）。
【００６５】
本実施の形態が第１の実施の形態と異なる点は、カメラ本体１の排出口１２から排出されるプリント用紙１１をガイドするホルダ４０（ガイド部材）と、撮影レンズを保護する撮影レンズバリア４１（撮影レンズ保護部材）とを別部材とした点、並びに、ホルダ４０と撮影レンズバリア４１の検出位置に応じてデジタルカメラ部に供給する電源及びプリンタ部に供給する電源のオン状態とオフ状態を切換えるようにしている点である。
【００６６】
図９乃至図１１において、カメラ本体１の外側部分には、ホルダ４０がカメラ本体１の長手方向に対し移動可能に装着されている。ホルダ４０は、カメラ本体１の排出口１２から排出されてくるプリント用紙１１をガイドするための部材であり、該ホルダ４０の側面がカメラ本体１の排出口１２側の側面に当接したホルダ収納位置（図９参照）と、該ホルダ４０の側面がカメラ本体１の排出口１２側の側面から所定長さ離間したプリント用紙受け位置（図１１参照）との間で移動可能となっている。ホルダ４０は、プリント用紙受け位置まで移動されると、カメラ本体１の排出口１２から排出されたプリント用紙１１を受けることが可能な状態に保持される。
【００６７】
また、ホルダ４０における、カメラ本体１の排出口１２と対向する側の面には、カメラ本体１の排出口１２から排出されてくるプリント用紙１１をガイドするためのスリット状のガイド部４０ａ（図９参照）が形成されている。これにより、プリント用紙１１の排出を安定した状態で且つ円滑に行うことが可能となっている。
【００６８】
また、ホルダ４０における、カメラ本体１の上面と対向する側の面には、この面とカメラ本体１の上面との間において撮影レンズバリア４１がスライド可能な空間を形成するように切り欠き部４０ｃが設けられている。更に、ホルダ４０の切り欠き部４０ｃの端面（段差部分）は、撮影レンズバリア４１をバリア開位置（図１０参照）またはプリント用紙受け位置（図１１参照）に係止し、該撮影レンズバリア４１の移動を規制する係止部４０ｂとして構成されている。
【００６９】
また、カメラ本体１の外側部分には、撮影レンズバリア４１が、カメラ本体１の上面とホルダ４０の切り欠き部４０ｃの面との間の空間部を介してカメラ本体１の長手方向に対し移動可能に装着されている。撮影レンズバリア４１は、撮影レンズ前面を覆う位置と撮影レンズ前面から退避する位置を含む複数の位置へ移動させることが可能となっている。
【００７０】
ここで、上記複数の位置とは、撮影レンズバリア４１が撮影レンズ前面を覆うバリア閉位置（図９参照）、撮影レンズバリア４１が撮影レンズ前面から退避し且つホルダ収納位置にあるホルダ４０の係止部４０ｂに係止されたバリア開位置（図１０参照）、撮影レンズバリア４１が撮影レンズ前面から退避し且つプリント用紙受け位置にあるホルダ４０の係止部４０ｂに係止されたプリント用紙受け位置（図１１参照）である。
【００７１】
更に、ホルダ４０の下側の面には、形状が異なる例えば２つの凹部（図示略）が形成されている。２つの凹部は、それぞれホルダ収納位置とプリント用紙受け位置とにおいて、ホルダ４０の位置の検出及び撮影レンズバリア４１の位置の検出が可能な位置検出センサ（図示略）と対向するように配置されている。
【００７２】
上記位置検出センサにより、ホルダ４０がホルダ収納位置にあると検出され、撮影レンズバリア４１がバリア開位置にあると検出された場合には、デジタルカメラ部のみが動作する（デジタルカメラ部に供給する電源をオン状態とする）ように制御される。また、上記位置検出センサにより、ホルダ４０と撮影レンズバリア４１が共にプリント用紙受け位置にあると検出された場合には、デジタルカメラ部とプリンタ部とが共に動作する（デジタルカメラ部及びプリンタ部に供給する電源をオン状態とする）ように制御される。
【００７３】
但し、上記位置検出センサにより、ホルダ４０がプリント用紙受け位置に移動されていないと検出された場合には、プリンタ部によるプリント動作を禁止する（プリンタ部に供給する電源をオフ状態とする）ように制御される。これらの制御はプリンタ付カメラの制御手段２７が行う。
【００７４】
以上説明したように、本実施の形態によれば、プリント用紙をガイドするホルダ４０と、撮影レンズを保護する撮影レンズバリア４１とをそれぞれ独立に設けると共に、ホルダ４０と撮影レンズバリア４１の検出位置の組合せに応じて、デジタルカメラ部とプリンタ部に供給する電源のオン状態／オフ状態を切換えるように制御するため、プリンタ付カメラにおける電源の省電力を円滑且つ容易に実現することができる。
【００７５】
また、ホルダ４０がプリント用紙受け位置に移動されていない場合には、プリンタ部によるプリント動作を禁止するため、プリント用紙の排出異常の発生を未然に防止することができる。
【００７６】
また、ホルダ４０の一部に撮影レンズバリア４１の移動を係止する係止部４０ｂを設けているため、撮影レンズバリア４１の移動を係止するための専用部品を別個に設ける必要がなく、部品点数を削減することが可能となる。
【００７７】
尚、第１の実施の形態では、ホルダ１３をカメラ本体１の長手方向にスライドさせる構造としたが、本構成に限定されず、通常はカメラ本体１の例えば下面部に対し一体的に収納し、プリント用紙排出時に取付軸を介して下面部からカメラ本体１の排出側に回動させることでプリント用紙をガイドする回動式構造のホルダ、或いは、通常はカメラ本体１の例えば下面部に折り畳んだ状態で収納し、プリント用紙排出時に取付軸を介して下面部からカメラ本体１の排出側に延ばすことでプリント用紙をガイドする折り畳み式構造のホルダを採用してもよい。この場合も第１の実施の形態と同様の効果が得られることは言うまでもない。
【００７８】
また、第１及び第２の実施の形態では、プリンタ付カメラのプリンタ部における印刷方式をインクジェット記録方式とした場合を例に挙げたが、インクジェット記録方式に限定されず、他の印刷方式を用いてもよい。
【００７９】
本発明は、上述した実施の形態の機能を実現するソフトウェアのプログラム（図６及び図７のフローチャート）をコンピュータ又はＣＰＵに供給し、そのコンピュータ又はＣＰＵが該供給されたプログラムを読出して実行することによって、達成することができる。
【００８０】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００８１】
上記プログラムの形態は、オブジェクトコード、インタプリタにより実行されるプログラムコード、ＯＳ（オペレーティングシステム）に供給されるスクリプトデータ等の形態から成ってもよい。
【００８２】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００８３】
この場合、格納媒体から読出されたプログラムコード自体が上述した各実施の形態の機能を実現すると共に、そのプログラムコードを記憶した記憶媒体は本発明を構成する。
【００８４】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００８５】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００８６】
【発明の効果】
以上詳細に説明したように、本発明の撮像装置によれば、ガイド部材が、撮像装置内の印刷手段による印刷に伴い排出される用紙の排出方向に変位することで用紙をガイドするため、撮像装置内で印刷された用紙の排出を安定して行うことができる。これにより、従来のように、用紙の排出中に外部的負荷が加えられた場合に印刷が正常に行われない恐れがあるという不具合を解消することができる。
【図面の簡単な説明】
【図１】本発明の第１の実施の形態に係るプリンタ付カメラの正面側の構成を示す斜視図である。
【図２】プリンタ付カメラの背面側の構成を示す斜視図である。
【図３】プリンタ付カメラにおけるホルダがホルダ収納位置にある場合の正面側の構成を示す斜視図である。
【図４】プリンタ付カメラの背蓋を開けた状態におけるカメラ本体内部の概略構造を示す斜視図である。
【図５】プリンタ付カメラの機能構成を示すブロック図である。
【図６】プリンタ付カメラの動作手順を示すフローチャートである。
【図７】図６のフローチャートの続きである。
【図８】プリンタ付カメラの表示手段に表示された画像を示す図であり、（Ａ）は主被写体の周辺における日付や撮影データの印刷可能範囲を示す図、（Ｂ）は日付や撮影データの大きさや印字角度の変更を行った例を示す図である。
【図９】本発明の第２の実施の形態に係るプリンタ付カメラにおける撮影レンズバリアが閉位置にある場合の正面側の構成を示す斜視図である。
【図１０】プリンタ付カメラにおける撮影レンズバリアが開位置にある場合の正面側の構成を示す斜視図である。
【図１１】プリンタ付カメラにおける撮影レンズバリアがプリント用紙受け位置にある場合の正面側の構成を示す斜視図である。
【符号の説明】
１  カメラ本体
２  鏡筒ユニット
１１  プリント用紙
１２  排出口
１３  ホルダ
１３ａ  ガイド部
２４  ノズル
２６  プリンタヘッド
２７  制御手段
２８  撮像部
２９  撮像制御部
３０  プリンタエンジン部
３１  プリンタ制御部
３３  メモリ
３４  表示手段
３６  バリア位置検出手段
４０  ホルダ
４０ａ  ガイド部
４０ｂ  係止部
４１  撮影レンズバリア
【図１】
2004312464.tif 000003
【図２】
2004312464.tif 000004
【図３】
2004312464.tif 000005
【図４】
2004312464.tif 000006
【図５】
2004312464.tif 000007
【図６】
2004312464.tif 000008
【図７】
2004312464.tif 000009
【図８】
2004312464.tif 000010
【図９】
2004312464.tif 000011
【図１０】
2004312464.tif 000012
【図１１】
2004312464.tif 000013